(57)【要約】【課題】識別した言語の情報を用いて、連絡先の表示画面の表示方法を切り替える情報処理装置、その制御方法及びプログラムを提供すること【解決手段】音声情報を取得し、取得した音声情報の言語種別を識別すべく、複数の言語種別を記憶しておき、記憶した言語種別のうちの１つである第１の言語種別を用いて、取得した音声情報を識別可能か判定し、第１の言語種別で前記音声情報を識別不可能であると判定した場合に、記憶装置に記憶された、前記第１の言語種別とは異なる第２の言語種別を用いて、緊急連絡先の情報を表示画面に表示する【選択図】図５
2015103828.tif 000002
【特許請求の範囲】
【請求項１】
音声情報を取得する音声情報取得手段と、
前記音声情報取得手段で取得した音声の言語種別を識別すべく、複数の言語種別を記憶する言語種別記憶手段と、
前記言語種別記憶手段で記憶した言語種別のうちの１つである第１の言語種別を用いて、前記音声情報取得手段で取得した音声情報を識別可能か判定する判定手段と、
前記第１の判定手段で、前記第１の言語種別で前記音声情報を識別ができないと判定した場合に、前記言語種別記憶手段に記憶された、前記第１の言語種別とは異なる第２の言語種別を用いて、緊急連絡先の情報を表示画面に表示する表示手段と、
を備えることを特徴とする情報処理装置。
【請求項２】
前記情報処理装置に対するログイン処理に用いるパスワード入力画面を表示するパスワード入力画面表手段と、
を備え、
前記表示手段は、前記判定手段で、前記パスワード入力画面において前記音声情報取得手段で取得した音声情報が識別可能である場合に、前記前記音声情報取得手段で取得した音声に対応するアプリケーションを起動させて表示画面に表示し、前記音声情報が識別可能でない場合に、前記前記音声情報取得手段で取得した音声に対応するアプリケーションを起動させず、前記緊急連絡先の情報を表示画面に表示することを特徴とする請求項１に記載の情報処理装置。
【請求項３】
前記第１の言語種別とは、前記情報処理装置の所有者であるユーザの所属国の言語種別であり、前記第２の言語種別とは、前記情報処理装置の所有者であるユーザの所属国ではないの国の言語種別であることを特徴とする請求項１又は２に記載の情報処理装置。
【請求項４】
音声情報を取得する音声情報取得工程と、
前記音声情報取得工程で取得した音声の言語種別を識別すべく、複数の言語種別を記憶する言語種別記憶工程と、
前記言語種別記憶工程で記憶した言語種別のうちの１つである第１の言語種別を用いて、前記音声情報取得工程で取得した音声情報を識別可能か判定する判定工程と、
前記第１の判定工程で、前記第１の言語種別で前記音声情報を識別ができないと判定した場合に、前記言語種別記憶工程に記憶された、前記第１の言語種別とは異なる第２の言語種別を用いて、緊急連絡先の情報を表示画面に表示する表示工程と、
を含むことを特徴とする情報処理装置の制御方法。
【請求項５】
情報処理装置を、
音声情報を取得する音声情報取得手段と、
前記音声情報取得手段で取得した音声の言語種別を識別すべく、複数の言語種別を記憶する言語種別記憶手段と、
前記言語種別記憶手段で記憶した言語種別のうちの１つである第１の言語種別を用いて、前記音声情報取得手段で取得した音声情報を識別可能か判定する判定手段と、
前記第１の判定手段で、前記第１の言語種別で前記音声情報を識別ができないと判定した場合に、前記言語種別記憶手段に記憶された、前記第１の言語種別とは異なる第２の言語種別を用いて、緊急連絡先の情報を表示画面に表示する表示手段として機能させることを特徴とする情報処理装置で実行可能なプログラム。
【発明の詳細な説明】
【技術分野】
【０００１】
情報処理装置、その制御方法及びプログラムに関する。
【背景技術】
【０００２】
近年、携帯電話が普及し、諸外国を含め、様々な場所での使用が可能となってきている。
【０００３】
使用先で携帯電話を紛失した場合、拾得者は落とし主への連絡先が分からないため、落し主が自身の携帯電話にコールしないかぎり、直接落し主へ連絡する手段がない。
【０００４】
これに対し、特許文献１には、携帯電話等の移動端末の利用者の操作に応じて、当該移動端末の最寄りの緊急連絡先に対して、移動端末の現在位置を含む緊急情報を送信する技術が開示されている。
【先行技術文献】
【特許文献】
【０００５】
【特許文献１】特開２０００−２８２９５３号公報
【発明の概要】
【発明が解決しようとする課題】
【０００６】
しかしながら、上記特許文献１のシステムでは、利用者本人が緊急連絡先へ緊急情報を送信することはできるが、第三者が操作することを目的としておらず、第三者が拾得した場合は操作方法が分からず、連絡が出来ない場合がある。また、海外利用の場合は、端末設定の言語が異なることが操作の弊害になることが予想される。
【０００７】
本発明は、識別した言語の情報を用いて、連絡先の表示画面の表示方法を切り替える情報処理装置、その制御方法及びプログラムを提供することを目的とする。
【課題を解決するための手段】
【０００８】
本発明の情報処理装置は、音声情報を取得する音声情報取得手段と、前記音声情報取得手段で取得した音声の言語種別を識別すべく、複数の言語種別を記憶する言語種別記憶手段と、前記言語種別記憶手段で記憶した言語種別のうちの１つである第１の言語種別を用いて、前記音声情報取得手段で取得した音声情報を識別可能か判定する判定手段と、前記第１の判定手段で、前記第１の言語種別で前記音声情報を識別不可能であると判定した場合に、前記言語種別記憶手段に記憶された、前記第１の言語種別とは異なる第２の言語種別を用いて、緊急連絡先の情報を表示画面に表示する表示手段と、を備えることを特徴とする。
【発明の効果】
【０００９】
本発明によれば、識別した言語の情報を用いて、連絡先の表示画面の表示方法を切り替える情報処理装置、その制御方法及びプログラムを提供することができる。
【図面の簡単な説明】
【００１０】
【図１】本発明の実施形態における、情報処理システムの構成の一例を示す図である。
【図２】本発明の実施形態における、各種装置のハードウェア構成の一例を示す図である。
【図３】本発明の実施形態における、各種装置の機能構成の一例を示す図である。
【図４】本発明の実施形態における、緊急連絡先の登録処理の一例を示すフローチャートである。
【図５】本発明の実施形態における、音声言語認識を用いた緊急連絡先画面表示制御手順の一例を示すフローチャートである。
【図６】本発明の実施形態における、パスワード入力失敗時の緊急連絡先画面表示制御手順の一例を示すフローチャートである。
【図７】本発明の実施形態における、緊急連絡先画面の表示制御、操作手順の一例を示すフローチャートである。
【図８】本発明の実施形態における、各種データテーブルの構成の一例を示す図である。
【図９】本発明の実施形態における、緊急連絡先登録画面の構成の一例を示す図である。
【図１０】本発明の実施形態における、緊急連絡先画面の構成の一例を示す図である。
【発明を実施するための形態】
【００１１】
以下、図面を参照して、本発明の実施形態を詳細に説明する。図１は、本発明の実施形態における、情報処理システムの構成の一例を示す図である。
【００１２】
サーバ１００は、携帯端末２００からの依頼に応じて音声データ（音声情報）を解析し、解析結果を携帯端末２００に送信する。
【００１３】
携帯端末２００は、取得した音声データの解析をサーバ１００に依頼し、解析の結果識別できた音声が、所定の言語でなかった場合（例えば、当該携帯端末の所有者の用いる言語でなかった場合）、所有者であるユーザが当該携帯端末を手放しており、第三者である別のユーザが当該携帯端末２００を使用中と判断して、緊急連絡先の情報を表示する。携帯端末は、例えば携帯電話である。
【００１４】
ＷＡＮ１０１は、当該サーバ１００と携帯端末２００を通信可能に接続するネットワーク（ワイドエリアネットワーク）である。以上が図１の、本発明の実施形態における、情報処理システムの構成の一例についての説明である。
【００１５】
次に図２を参照して、本発明の実施形態における、各種装置のハードウェア構成の一例について説明する。図２は、本発明の実施形態における、各種装置のハードウェア構成の一例を示す図である。
【００１６】
図２において、２０１はＣＰＵで、システムバス２０４に接続される各デバイスやコントローラを統括的に制御する。また、ＲＯＭ２０２あるいは外部メモリ２１１には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。
【００１７】
２０３はＲＡＭで、ＣＰＵ２０１の主メモリ、ワークエリア等として機能する。ＣＰＵ２０１は、処理の実行に際して必要なプログラム等をＲＯＭ２０２あるいは外部メモリ２１１からＲＡＭ２０３にロードして、該ロードしたプログラムを実行することで各種動作を実現するものである。
【００１８】
また、２０５は入力コントローラで、キーボード（ＫＢ）２０９や不図示のマウス等のポインティングデバイス等からの入力を制御する。２０６はビデオコントローラで、ＣＲＴディスプレイ（ＣＲＴ）２１０等の表示器（表示部）への表示を制御する。なお、図２では、ＣＲＴ２１０と記載しているが、表示器はＣＲＴだけでなく、液晶ディスプレイ等の他の表示器であってもよい。これらは必要に応じて管理者が使用するものである。
【００１９】
また、本発明の実施形態において、携帯端末２００のＣＲＴ２１０は、タッチパネル機能を有するものとする。ＣＲＴ２１０がタッチパネル機能を有する場合、当該ＣＲＴ２１０は入力装置としても機能し、入力コントローラにタッチパネル機能で検出した（ディスプレイで受け付けた）タッチ操作の情報を入力情報として伝達するものとする。つまり、入力コントローラ２０５は、ＣＲＴ２１０からの入力制御を行う。
【００２０】
２０７はメモリコントローラで、ブートプログラム，各種のアプリケーション，フォントデータ，ユーザファイル，編集ファイル，各種データ等を記憶するハードディスク（ＨＤ）や、フレキシブルディスク（ＦＤ）、或いはＰＣＭＣＩＡカードスロットにアダプタを介して接続されるコンパクトフラッシュ（登録商標）メモリ等の外部メモリ２１１へのアクセスを制御する。
【００２１】
２０８は通信Ｉ／Ｆコントローラで、ネットワーク（例えば、図１に示したＷＡＮ１０１）を介して外部機器と接続・通信するものであり、ネットワークでの通信制御処理を実行する。例えば、ＴＣＰ／ＩＰを用いた通信等が可能である。
【００２２】
なお、ＣＰＵ２０１は、例えばＲＡＭ２０３内の表示情報用領域へアウトラインフォントの展開（ラスタライズ）処理を実行することにより、ＣＲＴ２１０上での表示を可能としている。また、ＣＰＵ２０１は、ＣＲＴ２１０上の不図示のマウスカーソル等でのユーザ指示を可能とする。
【００２３】
本発明を実現するための後述する各種プログラムは、外部メモリ２１１に記録されており、必要に応じてＲＡＭ２０３にロードされることによりＣＰＵ２０１によって実行されるものである。さらに、上記プログラムの実行時に用いられる定義ファイル及び各種情報テーブル等も、外部メモリ２１１に格納されており、これらについての詳細な説明も後述する。
【００２４】
２１２は加速度センサであり、例えば携帯端末２００の加速度を検出する。尚、加速度センサが外部装置として携帯端末２００等の装置に取り付けられている場合、例えば、加速度センサ２１２は入力コントローラ２０５と通信することで検出した加速度の情報を携帯端末２００に伝達する。以上が図２の、本発明の実施形態における、各種装置のハードウェア構成の一例についての説明である。
【００２５】
次に図３を参照して、本発明の実施形態における、各種装置の機能構成の一例について説明する。図３は、本発明の実施形態における、各種装置の機能構成の一例を示す図である。
【００２６】
第１言語情報記憶部３０１は、携帯端末２００の所有者の所属国の言語（例えば、ここでは日本語）を識別するための情報を記憶する記憶部である。第２言語情報記憶部３０２は、第１言語情報記憶部で記憶したデフォルトの言語以外の言語（例えば、ここでは英語）を識別するための情報を記憶する記憶部である。
【００２７】
音声データ送信部３０３は、第１言語情報記憶部３０１又は第２言語情報記憶部３０２で記憶した情報と、マイク等から取得した音声データをサーバ１００に送信し、第１言語情報記憶部３０１又は第２言語情報記憶部３０２で記憶した言語での音声解析を依頼する。
【００２８】
音声データ受信部３１１は当該音声データ及び言語の識別情報を受信し、３１２は、当該音声データの解析を行って、解析結果送信部３１３が当該解析の結果を携帯端末２００に送信する。
【００２９】
解析結果受信部３０４は解析結果を受信し、識別言語判定部３０５は音声解析の結果識別できた言語を判定して、緊急連絡先表示部３０６は、識別言語判定部３０５で識別したと判定した言語が第２の言語情報記憶部で記憶した言語であった場合（デフォルトの言語でなかった場合／例えば、日本語でなかった場合）、表示画面に緊急連絡先の情報を表示する表示部である。以上が図３の、本発明の実施形態における、各種装置の機能構成の一例についての説明である。
【００３０】
次に図４を参照して、本発明の実施形態における、緊急連絡先の登録処理の一例について説明する。
【００３１】
ステップＳ４０１では、携帯端末２００のＣＰＵ２０１は、ユーザ操作に応じて、海外滞在時の識別言語の設定画面を表示する（例えば、図９の言語設定画面９００を表示する）。言語設定画面９００は、当該携帯端末２００の所有ユーザが属する国から見た外国において、識別する言語設定を受け付ける画面である。
【００３２】
緊急連絡先編集ボタンの押下を受け付けることで、外国において、プルダウンで選択中の言語を識別（認識）した場合に表示画面に表示する緊急連絡先一覧画面（緊急連絡先一覧画面９１０）に遷移する。
【００３３】
ステップＳ４０２では、言語の選択を受け付ける。選択された（設定された）言語は、海外滞在言語テーブル８１０（図８で後述／言語種月記憶手段に該当）に保存され、次回表示以降、初期選択に使用される。尚、当該携帯端末２００の所有ユーザが属する国の言語設定（デフォルトの認識言語の設定／言語種月記憶手段に該当）は、別途、外部メモリに予め記憶（登録）されているものとする。
【００３４】
ここで図８を参照して、本発明の実施形態における各種データテーブルの構成の一例について説明する。図８に示す各テーブルは、携帯端末２００の外部メモリに記憶されるものとする。
【００３５】
緊急連絡先テーブル８００は、緊急連絡先の情報が登録されたテーブルである。緊急連絡先テーブル８００の情報は、後述する緊急連絡先の登録処理によって登録（生成・記憶）される。連絡先ＩＤ８０１は、連絡先の識別情報である。連絡先名８０２は、連絡先の名称である。連絡先番号８０３は、緊急連絡先の番号である。
【００３６】
携帯端末２００は、緊急連絡先の表示を行うことを決定した場合、携帯端末２００の位置するＧＰＳ座標から当該携帯端末２００が位置する国情報を取得し、当該国に対応する緊急連絡先の表示画面を表示する。
【００３７】
優先フラグ８０５は、いずれの緊急連絡先を優先して表示画面に表示するかを示すフラグである。優先フラグ８０５＝Ｘの連絡先は、当該携帯端末２００の所有者（ユーザ）の所属する国８０４と対応しており、音声認識の対象の言語としてデフォルトで設定されている言語を識別した場合に表示する緊急連絡先と対応付けられている。当該デフォルトの緊急連絡先の情報は、ユーザ操作による携帯端末の初期設定時に登録され、記憶されている端末設定のユーザ情報より取得して、予め自動設定・登録されているものとする。
【００３８】
所有者情報８０６は、当該海外滞在言語テーブル８１０を記憶した携帯端末２００の所有者の情報である。
【００３９】
海外滞在言語テーブル８１０は、デフォルトの認識言語以外で、認識可能に設定された言語情報である。デフォルト言語での音声認識に失敗した場合には、携帯端末２００は、当該海外言語設定テーブル８１０に記憶された言語を用いて、音声の再認識処理を行う。以上が図８の、本発明の実施形態における各種データテーブルの構成の一例についての説明である。
【００４０】
図４の説明に戻る。ステップＳ４０３で、携帯端末２００のＣＰＵ２０１は、緊急連絡先編集ボタンの押下を受け付ける。ステップＳ４０４で、緊急連絡先一覧画面９１０を表示画面に表示する。
【００４１】
当該緊急連絡先一覧画面９１０において削除ボタンの押下を受け付けた場合（ステップＳ４０７）、緊急連絡先一覧で選択中の緊急連絡先を緊急連絡先テーブル８００より削除する。
【００４２】
登録ボタンの押下指示（ステップＳ４０５）、又は編集ボタンの押下指示（ステップＳ４０６）を受け付けた場合、処理をステップＳ４０９に移行し、緊急連絡先登録画面９２０を表示する。
【００４３】
ステップＳ４０６にて編集ボタン押下にて緊急連絡先登録画面９２０が開かれた場合は、選択されたデータを緊急連絡先テーブル８００より取得し、取得した情報を各入力項目に表示する。登録ボタンの押下指示（ステップＳ４０５）を受け付けて、緊急連絡先登録画面９２０が開かれた場合は、各項目は空欄の状態で表示する。
【００４４】
ステップＳ４１０で、携帯端末２００のＣＰＵ２０１は、「連絡先名」、「連絡先番号」、「国」、「優先」チェックボックス、「所有者情報」の各入力欄に対する情報の入力・編集の処理を受け付け、登録ボタンの押下を受け付けることで（ステップＳ４１１）、各情報を緊急連絡先テーブル８００へ登録・更新する（ステップＳ４１２）。以上が図４の、本発明の実施形態における、緊急連絡先の登録処理の一例についての説明である。
次に図５を参照して、本発明の実施形態における、音声言語認識を用いた緊急連絡先画面表示制御手順について説明する。
ステップＳ５０１で、携帯端末２００のＣＰＵ２０１は、音声認識操作機能を起動し、ステップＳ５０２で、ＧＰＳにて現在位置情報より所在国を取得する。
【００４５】
ステップＳ５０３では、Ｓ２０２で取得した所在国と端末にデフォルトで設定されている国情報（携帯端末２００の外部メモリに記憶されている当該携帯端末２００の所有ユーザの所在国／優先フラグ８０５＝Ｘの国８０４）が不一致かどうかを判定し、不一致の場合、Ｓ５０４に進む。そうでない場合は、Ｓ５０５に進む。
【００４６】
ステップＳ５０４では、海外利用フラグ（不図示）をＯＮに設定し、音声入力処理を受け付ける（ステップＳ５０５／音声情報取得手段に該当）。ステップＳ５０６では、入力された音声データをデフォルトの国の言語設定にて、音声認識サーバへ伝送する。
【００４７】
ステップＳ５０７で、サーバ１００のＣＰＵ２０１は、端末より伝送された音声データおよび端末の言語設定情報を受信する。ステップＳ２０８では、サーバ１００にて、端末より伝送された音声データを端末の言語設定情報にて解析し、Ｓ２０８にて解析した結果をもとに応答コマンドを端末へ伝送する（ステップＳ５０９）。
【００４８】
ステップＳ５１０で、携帯端末２００のＣＰＵ２０１は、サーバ１００より伝送された応答コマンドを受信し、ステップＳ５１１で、Ｓ５１０の応答コマンドを用いて、音声の読取（認識／識別）に失敗したか判定する（識別可能か識別不可能か判定）。音声読み取りに失敗している場合（ステップＳ５１１でＹＥＳ）、ステップＳ５１２に進む。成功した場合（ステップＳ５１１でＮＯ）、Ｓ５１０の応答コマンドに沿ったその他の処理を行い、終了する。ここでいうその他の処理とは、例えば、識別したキーワードを用いたインターネット検索や翻訳処理等である。
【００４９】
ステップＳ５１２では、海外フラグがＯＮ（携帯端末２００がデフォルト設定の国以外の国（外国）に移動した場合にＯＮになり、デフォルトの国に移動した場合ＯＦＦになる、外部メモリに記憶されたフラグ／不図示）かどうかを判定し、ＯＮである場合、Ｓ５１３に進む。海外フラグがＯＦＦの場合、音声読取エラーの旨を通知する通知画面を表示画面に表示して処理を終了する。ステップＳ５１３では、入力された音声データを海外滞在言語テーブル８１０より取得した海外滞在言語設定にて、音声認識サーバへ伝送する。
【００５０】
ステップＳ５１４で、サーバ１００のＣＰＵ２０１は、端末より伝送された音声データおよび海外滞在言語情報を受信し、ステップＳ５１５で、携帯端末２００より伝送された音声データを、同じく携帯端末２００から受信した海外滞在言語情報にて解析する。ステップＳ５１６では、Ｓ５１５にて解析した結果をもとに応答コマンドを携帯端末２００へ伝送する。
【００５１】
ステップＳ５１７で、携帯端末２００のＣＰＵ２０１は、音声認識サーバより伝送された応答コマンドを受信し、ステップＳ５１８で、Ｓ５１７の応答コマンドより、音声読み取りに成功しているか判定する。音声読み取りに成功している場合、処理をステップＳ５１９に進め、緊急連絡先の表示処理を行う（図７で後述）。音声読み取りに失敗している場合、音声読取エラーの旨を通知する通知画面を表示画面に表示して処理を終了する。以上が図５の、本発明の実施形態における、音声言語認識を用いた緊急連絡先画面表示制御手順についての説明である。
【００５２】
次に図６を参照して、本発明の実施形態における、パスワード入力失敗時の緊急連絡先画面表示制御手順の一例について説明する。図６の処理の開始時点では、携帯端末２００はパスワードでロックされている状態であり、パスワード入力画面（不図示）が表示画面に表示されており、パスワード入力及び認証成功によりロックが解除される状態であるものとする。
【００５３】
ステップＳ６０１で、携帯端末２００のＣＰＵ２０１は、端末へのログイン処理のためのパスワードの入力を受け付け、端末の外部メモリに記憶したパスワードとの照合を行って、照合した結果パスワードが一致した場合に携帯端末２００の表画面を、不図示のメニュー画面に遷移させる（Ｓ６０３）。
【００５４】
ステップＳ６０２では、携帯端末２００のＣＰＵ２０１は、ログイン（ロック解除）に失敗したか判定し、失敗している場合、処理をＳ６０４に進める。成功した場合、Ｓ６０３に進め、ロックを解除する。
【００５５】
ステップＳ６０４では、携帯端末２００のＣＰＵ２０１は、ログイン失敗の回数が規定回数より少ないか判定し、少ない場合、ステップＳ６０５で、ログイン失敗回数をカウントアップし、処理をステップＳ６０１の前に戻す。
【００５６】
Ｓ６０５に進む。ログイン失敗の回数が規定回数以上の場合、処理をステップＳ６０６に進め、緊急連絡先画面の表示処理に移行する。以上が図６の、本発明の実施形態における、パスワード入力失敗時の緊急連絡先画面表示制御手順の一例についての説明である。
【００５７】
尚、ここでは、携帯端末２００のロック解除をパスワードの入力によって行い、画面をメニュー画面に遷移するものとしたが、例えば、ロック解除のためのパスワード入力画面において、音声入力によって所定のキーワードを検出にした場合に、所定のアプリケーションが起動する場合がある（例えば、メモ帳のアプリケーションの閲覧（メモの編集はロック解除後に許可される）等）。
【００５８】
この場合、例えば、ステップＳ６０１で入力を受け付けたのが音声データの場合で、当該音声を図５のステップＳ５０６〜Ｓ５１７の処理を実行することで識別できたとしても、当該識別した言語がデフォルトの言語でない場合、表示画面への緊急連絡先の表示処理（図７参照）を実行するものとする。当該識別した言語がデフォルトの言語である場合は、当該識別したキーワードに対応する所定のアプリケーションを起動して、当該アプリケーションの画面を表示画面に表示する。
【００５９】
これにより、使用する言語が異なる、明らかに当該携帯端末２００の所有者でないユーザによる携帯端末２００内の情報に対するアクセスを防止し、緊急連絡先を提示することが出来る。
次に図７を参照して、本発明の実施形態における、緊急連絡先画面の表示制御、操作手順の一例について説明する。
【００６０】
ステップＳ７０１で、携帯端末２００のＣＰＵ２０１は、緊急連絡先表示画面（図１０に図示）を起動する。ステップＳ７０２で、ＧＰＳにて現在位置情報より所在国を取得し、ステップＳ７０３では、Ｓ７０２にて取得した所在国にて、緊急連絡先テーブル８００（図８）より、緊急連絡先情報を取得する。優先フラグ＝１のデータがある場合は、該当データを優先して緊急連絡先表示画面に表示するよう、緊急連絡先テーブル８００の情報をソートする。
【００６１】
ステップＳ７０４では、Ｓ７０２で取得した所在国と、デフォルトの国情報が不一致となるかどうかを判定し、不一致の場合、Ｓ７０５に処理を進める。一致する場合、ステップＳ７０６で、デフォルトの端末設定言語にて、緊急連絡先表示画面を表示する（例えば、図１０の緊急連絡先表示画面１０００を表示する）。
【００６２】
ステップＳ７０５では、海外滞在言語テーブル８１０より取得した海外滞在設定言語にて、緊急連絡先画面を表示する（例えば、図１０の緊急連絡先表示画面１０１０を表示する）。
【００６３】
ステップＳ７０７では、表示画面に対する左右方向のスライド（スワイプ）操作を受け付けたか判定し、スライド操作を受け付けた場合は処理をステップＳ７０８に移行する。ステップＳ７０８では、他に同一国の緊急連絡先情報が存在するかどうか、緊急連絡先テーブル８００を参照して判定し、存在する場合と判定した場合、処理をステップＳ７０９に移行する。
【００６４】
ステップＳ７０９で、画面に向かって左方向にスライド操作を受け付けた場合、Ｓ７０３で取得したデータの取得順で次のデータを取得して表示画面（緊急連絡先表示画面１０００又は１０１０）に表示し、画面に向かって右方向にスライド操作を受け付けた場合、取得順で前のデータを取得して表示画面（緊急連絡先表示画面１０００又は１０１０）に表示し、処理をステップＳ７０７の前に戻す。
【００６５】
ステップＳ７０７で、表示画面に対する左右方向のスライド（スワイプ）操作を受け付けていないと判定した場合、ステップＳ７１０で、通話ボタンの押下を受け付けたか判定し、通話ボタンの押下を受け付けたと判定した場合、処理をステップＳ７１１に進める。
【００６６】
ステップＳ７１１では、画面に表示された緊急連絡先の電話番号に発信する処理を行う。ステップＳ７１０で、通話ボタンの押下を受け付けていないと判定した場合、閉じるボタンの押下を受け付けたものと判定し、処理を終了する。尚、英語の画面の各ボタンの記載は日本語の画面の各ボタンの記載に対応するため、説明は割愛した。以上が図７の、本発明の実施形態における、緊急連絡先画面の表示制御、操作手順の一例についての説明である。
【００６７】
以上、本発明によれば、複数の端末間の同期の状態を容易に変更可能な情報処理装置、情報処理システム、その制御方法及びプログラムを提供することができる。
【００６８】
尚、本発明は、例えば、システム、装置、方法、プログラム若しくは記憶媒体等としての実施形態も可能であり、具体的には、複数の機器から構成されるシステムに適用してもよいし、また、１つの機器からなる装置に適用してもよい。
【００６９】
なお、本発明は、前述した実施形態の機能を実現するソフトウェアのプログラムを、システム或いは装置に直接、或いは遠隔から供給するものを含む。そして、そのシステム或いは装置のコンピュータが前記供給されたプログラムコードを読み出して実行することによっても達成される場合も本発明に含まれる。
【００７０】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００７１】
プログラムを供給するための記録媒体としては、例えば、フレキシブルディスク、ハードディスク、光ディスク、光磁気ディスク、ＭＯ、ＣＤ−ＲＯＭ、ＣＤ−Ｒ、ＣＤ−ＲＷなどがある。また、磁気テープ、不揮発性のメモリカード、ＲＯＭ、ＤＶＤ（ＤＶＤ−ＲＯＭ，ＤＶＤ−Ｒ）などもある。
【００７２】
その他、プログラムの供給方法としては、クライアントコンピュータのブラウザを用いてインターネットのホームページに接続する。そして、前記ホームページから本発明のコンピュータプログラムそのもの、若しくは圧縮され自動インストール機能を含むファイルをハードディスク等の記録媒体にダウンロードすることによっても供給できる。
【００７３】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００７４】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、ダウンロードした鍵情報を使用することにより暗号化されたプログラムを実行してコンピュータにインストールさせて実現することも可能である。
【００７５】
また、コンピュータが、読み出したプログラムを実行することによって、前述した実施形態の機能が実現される。その他、そのプログラムの指示に基づき、コンピュータ上で稼動しているＯＳなどが、実際の処理の一部又は全部を行い、その処理によっても前述した実施形態の機能が実現され得る。
【００７６】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部又は全部を行い、その処理によっても前述した実施形態の機能が実現される。
【００７７】
尚、前述した実施形態は、本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【符号の説明】
【００７８】
１００    サーバ
１０１    ＷＡＮ
２００Ａ  携帯端末
２００Ｂ  携帯端末
【図１】
2015103828.tif 000003
【図２】
2015103828.tif 000004
【図３】
2015103828.tif 000005
【図４】
2015103828.tif 000006
【図５】
2015103828.tif 000007
【図６】
2015103828.tif 000008
【図７】
2015103828.tif 000009
【図８】
2015103828.tif 000010
【図９】
2015103828.tif 000011
【図１０】
2015103828.tif 000012